(57)【特許請求の範囲】
【請求項１】
本体ハウジングの上方開口が、弾性シートからなる支持シートにより施蓋され、
前記本体ハウジング内に、該本体ハウジング内の噴射用液体を噴射するための噴射ノズルが配設されてなる液体式マッサージ装置であって、
前記噴射ノズルとして、前記支持シート上に仰向けで支承された状態での患者の首部付近を挟む左右位置においてそれぞれ横噴射用ノズルが設けられ、
前記横噴射用ノズルからの噴射用液体が、前記支持シートのうち上方への突出部分を介して、患者の首部から肩部に対して横方向から噴射され、
前記支持シート上には、クッション体によって形成されて、少なくとも前記支持シート上に仰向けで支承された状態での患者の頭部を挟むように配設される左右一対の側方支持部を有する支持部材が設けられ、
前記各側方支持部は、前記上方への突出部分にまで伸びて、該突出部分を上方から覆っており、
前記支持部材が、前記支持シート上に仰向けで支承された状態での患者の頭頂部側に位置されて、左右一対の前記側方支持部同士を連結する後側支持部をさらに有しており、
前記左右一対の側方支持部と前記後側支持部とで囲まれる空間が、前記支持シート上に仰向けで支承された状態での患者の頭部が位置される収納凹部とされ、
前記後側支持部は、前記支持シート上に仰向けで支承された状態での患者が頭頂部側に向けて移動するのを規制するように高さ設定されている、
ことを特徴とする液体式マッサージ装置。
【請求項２】
請求項１において、
前記側方支持部は、支持シート上に仰向けで支承された状態での患者の頭部が横方向へ移動するのを規制するように高さ設定され、
前記側方支持部のうち前記上方への突出部分が位置される部分の下面に、該上方への突出部分が収納される逃げ用凹部が形成されている、
ことを特徴とする液体式マッサージ装置。
【請求項３】
請求項１または請求項２において、
前記支持部材は、前記収納凹部の底面に位置する部分において、前記支持シート上に仰向けで支承された状態での患者の頭部が載置される支承部をさらに有している、ことを特徴とする液体式マッサージ装置。
【請求項４】
請求項１ないし請求項３のいずれか１項において、
前記支持シートの左右側縁部に位置して該支持シートよりも高くなるように設定された左右一対の側方壁部と、前記支持シート上に仰向けで支承された状態での患者の頭頂部側に位置されて該支持シートよりも高くなるように設定された後側壁部とを有して、該後側壁部によって左右一対の側方壁部同士が連結されており、
前記支持部材は、前記左右の側方壁部と前記後側壁部との３つの内壁面に弾力的に当接されて、前記支持シートに対して横方向への移動と前記後側壁部に向けての移動とが規制されている、
ことを特徴とする液体式マッサージ装置。
【請求項５】
請求項４において、
前記後側壁部の内壁面には、スピーカ孔が形成され、
前記支持部材の下面には、前記スピーカ孔と前記収納凹部とを連通させるガイド溝が形成されている、
ことを特徴とする液体式マッサージ装置。
【請求項６】
請求項１ないし請求項５のいずれか１項において、
前記本体ハウジングが、前記支持シートの左右側縁部に位置して該支持シートよりも高くなるように設定された左右一対の側方壁部と、前記支持シート上に仰向けで支承された状態での患者の頭頂部側に位置されて該支持シートよりも高くなるように設定された後側壁部とを有して、該後側壁部によって左右一対の側方壁部同士が連結されており、
前記左右側縁部のうち、前記上方への突出部分に対応した位置から前記後側壁部に渡っての所定長さ範囲が、手すりとなるように部分的に高くされた隆起部とされている、
ことを特徴とする液体式マッサージ装置。
【請求項７】
請求項６において、
前記隆起部の外側面に、患者の指先が入り込めるように凹部が形成されている、ことを特徴とする液体式マッサージ装置。
【請求項８】
請求項１ないし請求項７のいずれか１項において、
前記噴射ノズルとして、上方へ向けて噴射用液体を噴射する上噴射用ノズルをさらに有している、ことを特徴とする液体式マッサージ装置。
【請求項９】
患者を仰向け状態で支承する支持シートの長手方向一端部に左右一対の上方への突出部分が形成されて、該上方への突出部分の下方に横方向に噴射用液体を噴射する横噴射用ノズルが配設されてなる液体式マッサージ装置に用いられる支持部材であって、
クッション体により形成されて、左右一対の側方支持部と該側方支持部の後端部同士を連結する後側支持部とを有して、該左右一対の側方支持部と該後側支持部とで囲まれた空間が、前記支持シート上に仰向けで支承された状態での患者の頭部が位置される収納凹部とされており、
前記左右一対の側方支持部と前記後側支持部とは、それぞれ、前記支持シート上に仰向けで支承された状態での患者の頭部の左右方向への移動と頭頂部側への移動とを規制するように高さ設定され、
前記左右一対の側方支持部の前端部下面には、前記上方への突出部分が収納される逃げ用凹部が形成されている、
ことを特徴とする液体式マッサージ装置用の支持部材。
【請求項１０】
請求項９において、
前記支持部材は、前記収納凹部の底面に位置する部分において、前記支持シート上に仰向けで支承された状態での患者の頭部が載置される支承部をさらに有している、ことを特徴とする液体式マッサージ装置用の支持部材。
【請求項１１】
請求項９または請求項１０において、
前記支持部材の下面には、前記後側支持部の外側面に開口されると共に前記収納凹部内に開口されるガイド溝が形成されている、ことを特徴とする液体式マッサージ装置用の支持部材。
【発明の詳細な説明】
【技術分野】
【０００１】
本発明は、液体式マッサージ装置およびその支持部材に関するものである。
【背景技術】
【０００２】
液体式マッサージ装置は、本体ハウジングの上方開口が、患者支承用となる支持シートにより施蓋されて、この本体ハウジング内に配設された噴射ノズルから上方に向けて噴射用液体が噴射されるようになっている。噴射ノズルとして、上下方向軸線周りに回転される回転体を有して、この回転体に噴射口を形成したものがある。
【０００３】
特許文献１には、回転体に形成された噴射口が曲げ形成されて、噴射口からの噴射用液体の噴射（の反力）を利用して、回転体を自転させるものが開示されている。特許文献２には、回転体を別途設けた駆動源により回転させると共に、本体ハウジングの長手方向に回転体（つまり噴射ノズル）を移動可能としたものが開示されている。
【０００４】
さらに、特許文献３には、肩や首に向けて横方向から噴射用液体を噴射するための横噴射用ノズルを設けた液体式マッサージ装置が開示されている。
【先行技術文献】
【特許文献】
【０００５】
【特許文献１】特開２０００ー３２５４２０号公報
【特許文献２】特開２００４ー１８０６９６号公報
【特許文献３】特許第５７５９０４１号公報
【発明の概要】
【発明が解決しようとする課題】
【０００６】
前述した液体式マッサージ装置のうち、特許文献３に示すような横噴射用ノズルを有するものにあっては、横噴射用ノズルに対応して支持シートに左右一対の上方への突出部分が形成されて、この上方への突出部分の下方（下方空間）に横噴射用ノズルが配設されたものとなる。
【０００７】
上記した上方への突出部分は、  その下方に横噴射用ノズルが位置することから相当に硬い部分として存在することになる。この一方、患者からすれば、支持シート上に仰向けになろうとしたときや仰向け状態から起き上がろうときに、上方への突出部分に対して体重をかけつつ手をつきやすい部位となる。上方への突出部分に手をついた患者にとっては、硬い異物ということで手触りの悪いものとなりかつ滑りやすいものとなる。また、支持シートからすると、繰り返し体重をかけつつ手をつかれることは、上方への突出部分が早期に損傷してしまう事態を引き起こしやすいものとなる。また、液体式マッサージ装置の周囲に存在したり患者が身につけている硬い物体が、上方への突出部分に不用意に当たってしまうと、この突出部分が一気に損傷されてしまうことにもなる。
【０００８】
本発明は以上のような事情を勘案してなされたもので、その目的は、横噴射用ノズルに対応して支持シートに形成される上方への突出部分に対して、患者や物体が不用意に接触されることのないようにした液体式マッサージ装置およびその支持部材を提供することにある。
【課題を解決するための手段】
【０００９】
前記目的を達成するため、本発明における液体式マッサージ装置にあっては次のような解決手法を採択してある。すなわち、特許請求の範囲における請求項１に記載のように、
本体ハウジングの上方開口が、弾性シートからなる支持シートにより施蓋され、
前記本体ハウジング内に、該本体ハウジング内の噴射用液体を噴射するための噴射ノズルが配設されてなる液体式マッサージ装置であって、
前記噴射ノズルとして、前記支持シート上に仰向けで支承された状態での患者の首部付近を挟む左右位置においてそれぞれ横噴射用ノズルが設けられ、
前記横噴射用ノズルからの噴射用液体が、前記支持シートのうち上方への突出部分を介して、患者の首部から肩部に対して横方向から噴射され、
前記支持シート上には、クッション体によって形成されて、少なくとも前記支持シート上に仰向けで支承された状態での患者の頭部を挟むように配設される左右一対の側方支持部を有する支持部材が設けられ、
前記各側方支持部は、前記上方への突出部分にまで伸びて、該突出部分を上方から覆っており、
前記支持部材が、前記支持シート上に仰向けで支承された状態での患者の頭頂部側に位置されて、左右一対の前記側方支持部同士を連結する後側支持部をさらに有しており、
前記左右一対の側方支持部と前記後側支持部とで囲まれる空間が、前記支持シート上に仰向けで支承された状態での患者の頭部が位置される収納凹部とされ、
前記後側支持部は、前記支持シート上に仰向けで支承された状態での患者が頭頂部側に向けて移動するのを規制するように高さ設定されている、
ようにしてある。
【００１０】
上記解決手法によれば、支持シートに形成された左右一対の上方への突出部分は、クッション体からなる左右一対の側方支持部によって上方から覆われているので、この突出部分に対して患者や周囲の物体が不用意に触れてしまう事態を防止することができる。また、側方支持部はクッション体であることから、患者が触れても手触りのよいものとなり、また特に硬い物体が当たっても、突出部分を確実に保護することができる。以上に加えて、後側支持部材によって、支持シート上に仰向けで支承された状態での患者の頭頂部側への移動を規制することができ、また左右一対の側方支持部の位置決めをも行う上で好ましいものとなる。
【００１１】
上記解決手法を前提とした好ましい態様は、請求項２〜請求項８に記載のとおりである。すなわち、
前記側方支持部は、支持シート上に仰向けで支承された状態での患者の頭部が横方向へ移動するのを規制するように高さ設定され、
前記側方支持部のうち前記上方への突出部分が位置される部分の下面に、該上方への突出部分が収納される逃げ用凹部が形成されている、
ようにしてある（請求項２対応）。この場合、側方支持部によって、支持シート上に仰向けで支承された状態での患者の頭部が左右（横方向）に大きく動いてしまう事態を防止しつつ、上方への突出部分を保護することができる。
【００１２】
【００１３】
前記支持部材は、前記収納凹部の底面に位置する部分において、前記支持シート上に仰向けで支承された状態での患者の頭部が載置される支承部をさらに有している、ようにしてある（請求項３対応）。この場合、支承部を、患者の頭部を支承する枕として機能させることができる。
【００１４】
前記支持シートの左右側縁部に位置して該支持シートよりも高くなるように設定された左右一対の側方壁部と、前記支持シート上に仰向けで支承された状態での患者の頭頂部側に位置されて該支持シートよりも高くなるように設定された後側壁部とを有して、該後側壁部によって左右一対の側方壁部同士が連結されており、
前記支持部材は、前記左右の側方壁部と前記後側壁部との３つの内壁面に弾力的に当接されて、前記支持シートに対して横方向への移動と前記後側壁部に向けての移動とが規制されている、
ようにしてある（請求項４対応）。この場合、支持シートの周囲に設けた壁部を有効に利用して支持部材の位置決めを行って、側方支持部によって上方への突出部分を覆った状態を確実に維持する上で好ましいものとなる。
【００１５】
前記後側壁部の内壁面には、スピーカ孔が形成され、
前記支持部材の下面には、前記スピーカ孔と前記収納凹部とを連通させるガイド溝が形成されている、
ようにしてある（請求項５対応）。この場合、スピーカからの音を、支持シート上に仰向けで支承された状態での患者の耳元に良好に伝達することができる。
【００１６】
前記本体ハウジングが、前記支持シートの左右側縁部に位置して該支持シートよりも高くなるように設定された左右一対の側方壁部と、前記支持シート上に仰向けで支承された状態での患者の頭頂部側に位置されて該支持シートよりも高くなるように設定された後側壁部とを有して、該後側壁部によって左右一対の側方壁部同士が連結されており、
前記左右側縁部のうち、前記上方への突出部分に対応した位置から前記後側壁部に渡っての所定長さ範囲が、手すりとなるように部分的に高くされた隆起部とされている、
ようにしてある（請求項６対応）。この場合、上方への突出部分の付近に手すりを構成して、上方への突出部分が存在する位置に対して患者が不用意に手をついてしまうような事態をより一層確実に防止する上で好ましいものとなる。
【００１７】
前記隆起部の外側面に、患者の指先が入り込めるように凹部が形成されている、ようにしてある（請求項７対応）。この場合、請求項７での手すりの効果をより一層高めることができる。
【００１８】
前記噴射ノズルとして、上方へ向けて噴射用液体を噴射する上噴射用ノズルをさらに有している、ようにしてある（請求項８対応）。この場合、従来一般的に行われている上噴射用ノズルによる刺激効果を合わせて得ることができる。
【００１９】
前記目的を達成するため、本発明における支持部材にあっては次のような解決手法を採択してある。すなわち、請求項９に記載のように、
患者を仰向け状態で支承する支持シートの長手方向一端部に左右一対の上方への突出部分が形成されて、該上方への突出部分の下方に横方向に噴射用液体を噴射する横噴射用ノズルが配設されてなる液体式マッサージ装置に用いられる支持部材であって、
クッション体により形成されて、左右一対の側方支持部と該側方支持部の後端部同士を連結する後側支持部とを有して、該左右一対の側方支持部と該後側支持部とで囲まれた空間が、前記支持シート上に仰向けで支承された状態での患者の頭部が位置される収納凹部とされており、
前記左右一対の側方支持部と前記後側支持部とは、それぞれ、前記支持シート上に仰向けで支承された状態での患者の頭部の左右方向への移動と頭頂部側への移動とを規制するように高さ設定され、
前記左右一対の側方支持部の前端部下面には、前記上方への突出部分が収納される逃げ用凹部が形成されている、
ようにしてある。上記解決手法によれば、請求項１、請求項２に対応した液体式マッサージ装置用の支持部材を提供することができる。
【００２０】
上記解決手法を前提とした好ましい態様は、請求項１０以下に記載のとおりである。すなわち、
前記支持部材は、前記収納凹部の底面に位置する部分において、前記支持シート上に仰向けで支承された状態での患者の頭部が載置される支承部をさらに有している、
ようにしてある（請求項１０対応）。この場合、請求項３に対応した液体式マッサージ装置に使用される支持部材を提供することができる。
【００２１】
前記支持部材の下面には、前記後側支持部の外側面に開口されると共に前記収納凹部内に開口されるガイド溝が形成されている、ようにしてある（請求項１１対応）。この場合、請求項５に対応して液体式マッサージ装置に使用される支持部材を提供することができる。
【発明の効果】
【００２２】
本発明によれば、横噴射用ノズルに対応して支持シートに形成される上方への突出部分に対して、患者や異物が不用意に接触してしまう事態を防止することができる。
【図面の簡単な説明】
【００２３】
【図１】本発明が適用された液体式マッサージ装置の全体斜視図。
【図２】図１の分解斜視図。
【図３】横噴射用ノズル部分を仰向け状態とされた患者との位置関係と共に示す要部平面図。
【図４】横噴射用ノズル部分の詳細を示すもので、図３Ｘ４・Ｘ４線相当断面図。
【図５】上方への突出部分を有する支持シートの一例を示す側面図。
【図６】図５の左側面図。
【図７】図５の支持シートを斜め下方から見た斜視図。
【図８】支持部材の全体斜視図。
【図９】支持部材の正面図。
【図１０】支持部材の背面図。
【図１１】支持部材の平面図。
【図１２】支持部材の底面図。
【図１３】支持部材の右側面図。
【図１４】図１１のＸ１４・Ｘ１４線相当断面図。
【図１５】図１１のＸ１５・Ｘ１５線相当断面図。
【発明を実施するための形態】
【００２４】
図４において、１は本体ハウジングで、前後方向（図３上下方向）に細長い浴槽型の形状とされている。本体ハウジング１の上方開口部１ａが、大きく弾性変形可能な支持シート２によって施蓋されている。支持シート２の直下方には、編状の補助シート３が配設されている。患者Ｊの荷重（体重）は、もっぱら補助シート３によって支承される。本体ハウジング１内には、噴射用液体が貯溜されて、後述する噴射ノズルから噴射された噴射用液体は、自然落下して、再び噴射ノズルからの噴射用として用いられることになる。
【００２５】
本体ハウジング１内には、上噴射用ノズル１０と横噴射用ノズル２０とが配設されている。上噴射用ノズル１０は、左右一対の回転体１１を有して、各回転体１１には、上方に向けた開口された噴射口１１ａ（図３参照）が形成されている。左右一対の回転体１１は、図示を略す駆動源からの駆動力を受けて、互いに反対方向に回転されるようになっている。そして、左右一対の回転体１１は、駆動源からの駆動力を受けて、本体ハウジング１の長手方向に移動可能（往復動可能）とされている。なお、このような移動式の回転体１１を有する液体式マッサージ装置そのものは既知なので、これ以上の説明は省略する。
【００２６】
支持シート２上に仰向けに支承された患者Ｊの肩部付近に位置させて、左右一対の横噴射用ノズル２０が配設されている。横噴射用ノズル２０が配設された部分においては、カバー部材５によって、支持シート２が上方へ大きく突出（膨出）するように弾性変形された突出部分とされ、この上方への突出部分が符号２ａで示される。そして、この突出部分２ａ（つまりカバー部材５）の下方に、横噴射用ノズル２０が配設されている。この横噴射用ノズル２０は、本体ハウジング１に保持された保持ブラケット６に保持されている。図３に示すように、支持シート２上に仰向けで支承された状態での患者Ｋの肩部から首部に対して、横噴射用ノズル２０からの噴射用液体が横方向から噴射される（実施形態では間欠的な噴射）。なお、上噴射用ノズル１０、横噴射用ノズル２０等は、特許文献３と同様の構造を採択してあるので、これ以上の説明は省略する。なお、図１、図２では、支持シート２上に、弾性材からなる薄い衛生シート５を敷いて使用するようになっているが、この衛生シート５を用いないようにしてもよい。また、図１，図２において、７は、支持シート２上に仰向けで支承された状態での患者Ｋの足に載せられる重りシートである。
【００２７】
再び図４において、本体ハウジング１は、その周囲に配設されたフレーム４０に保持されている。フレーム４０における周縁部の上端部は、合成樹脂製のカバー部材４１によって被覆されている。このカバー部材４１は、支持シート２の周囲を取り巻くように配設されて、支持シート２よりも高い位置となるように設定されている。カバー部材４１のうち、支持シート２の長手方向に沿う左右の側方壁部４１ａと、側方壁部４１ａの前側端部（上方への突出部分２ａとは遠い側の端部）同士を連結する前側壁部４１ｂと、側方壁部４１ａの後側端部同士を連結する後側壁部４１ｃと、を有する。
【００２８】
上記左右の側方壁部４１ａのうち、上方への突出部分２ａ付近から後側壁部４１ｃに渡っての所定長さ範囲のみが、他の部分に比してより高くなる隆起部４２とされている。そして、側方壁部４１ａのうち隆起部４２の存在する部分の外側面に、凹部４３が形成されている。この隆起部４２が、患者Ｋが支持シート２上に仰向け状態になるとき、あるいは仰向け状態から起き上がるときに、手すりとして機能されるようになっている。凹部４３を形成しておくことにより、患者Ｋは、隆起部４２上に手をついた状態で、その指先を凹部４３に入り込ませることによって、より安定してその身体を安定させることができ、手すりとしての機能がより向上される。
【００２９】
支持シート２上に仰向けで支承された状態での患者Ｋに対して、その頭部の周囲付近に位置するようにして支持部材５０が配設される（図１、図２参照）。この支持部材５０は、主として、上方への突出部分２ａに対して患者Ｋや硬い物体が不用意に触れてしまうのを防止するもので、副次的に、支持シート２上に仰向けで支承された状態での患者Ｋの頭部が、横噴射用ノズル２０から横方向に噴射用液体を噴射している状態で不用意に左右方向に大きく動く（移動する）のを防止するものとなっている。
【００３０】
支持部材５０の詳細について、図８・図１５を参照しつつ説明する。支持部材５０は、全体的にクッション体（例えば発泡ウレタン）によって一体成形物として形成されている。支持部材５０は、左右一対の側方支持部５１と、側方支持部５１の後側端部（図３上側端部）同士を連結する後側支持部５２と、を有する。左右一対の側方支持部５１と後側支持部５２とによって、支持シート２上に仰向けで支承された状態での患者Ｋの頭部が収納される収納凹部５３が画成（区画）されている。なお、支持部材５０は、収納凹部５３に連なる切欠部５４を有して、この切欠部５４に、支持シート２上に仰向けで支承された状態での患者Ｋの首部が位置される。そして、支持部材５０には、収納凹部５３の底面に位置するようにして、薄い支承部５５（枕に相当）を一体的に有するものとなっている.すなわち、収納凹部５３内に患者Ｋの頭部が位置された状態では、頭部が支承部５５上に載置された状態とされる。
【００３１】
側方支持部５１および後側支持部５２は、その高さが、支持シート２上に仰向けで支承された状態での患者Ｋの頭部の高さよりも若干低くなるように設定され、実施形態では１０６ｍｍとされている。すなわち、支持シート２上に仰向けで支承された状態での患者Ｋは、側方支持部５１で左右を囲まれた状態で、左右の斜め上方向を目視可能となっていて、窮屈感を感じない程度とされている。なお、側方支持部５１の高さは、適宜設定できるが、患者Ｋの頭部の横方向移動の規制と窮屈感（圧迫感）抑制の観点から、９０ｍｍ・１５０ｍｍ程度の範囲でもって選択するのが好ましく、特に支持シート２上に仰向けで支承された状態での患者Ｋの顔面（特に眼）が、側方支持部５１の上面よりも高くなるような高さ設定とするのが好ましい。
【００３２】
支持部材５０は、その左右方向長さが、左右一対の側方壁部４１ａの内壁面の間隔よりも若干大きく設定されている。これにより、支持部材５０は、その後側支持部５２を後側壁部４１ｃの内壁面に当接させた状態で配設したときに、左右の側方壁部４１ａの内壁面と後側壁部４１ｃの内壁面とに対して弾力的に当接して、横方向（左右方向）および支持シート２上に仰向けで支承された状態での患者Ｋの頭頂部方向への移動が規制される。
【００３３】
支持部材５０は、その後側支持部５２を後側壁部４１ｃの内壁面に当接させた使用位置の状態において、左右一対の側方支持部５１の先端部（前端部で、図３下方側端部）は、支持シート２における上方への突出部分２ａを跨いで当該突出部分２ａ若干超える長さに設定されている。そして、側方支持部５１の先端部下面には、上記突出部分２ａが収納される逃げ用凹部５６が形成されている。このように、側方支持部５１によって、上方への突出部分２ａは、上方から覆われた状態となる。これにより、患者Ｋや周囲の物体が、上方への突出部分２ａに対して不用意に触れてしまう事態が防止される。すなわち、突出部分２ａの上方部分に手をついたり物体が当たったとしても、そこには弾力のある側方支持部５１が存在するため、手触りが悪くなることもなく、また突出部分２ａが損傷されてしまう事態も防止されることになる。
【００３４】
支持シート２上に仰向けで支承された状態での患者Ｋの頭部は、支持部材５０における薄い支承部５５上に載置されることになる。支承部５５上に患者Ｋの頭部が載置された状態では、横噴射用ノズル２０により横方向から噴射用液体が噴射された際に、高く設定された側方支持部５１によって患者Ｋの頭部が大きく左右に移動してしまう事態が防止されることになる。なお、横方向から噴射用液体を受けた際に、頭部が左右方向に大きく動くと、患者Ｋによっては違和感や不快感を抱くこともあるが、このような事態が防止されることになる。なお、支承部５５上に載置された患者Ｋの頭部が後側へ移動してしまうことは、後側支持部５２（最終的には後側壁部４１ｃ）によって規制されることになる。
【００３５】
ここで、カバー部材４１のうち、後側壁部４１内には、左右一対のスピーカ９が配設されて、このスピーカ９からの音を外部へ伝えるスピーカ孔が後側壁部４１ｃの内壁面に開口されている。支持部材５０における収納凹部５３内に位置される患者Ｋの頭部（耳元）に、スピーカ９（スピーカ孔）からの音を良好に伝達するために、支持部材５０の下面には、左右一対のガイド溝５７が形成されている。このガイド溝５７は、スピーカ９（スピーカ孔）と収納凹部５３内（に位置される患者Ｋの耳元付近）とを連通するように形成されている。なお、ガイド溝５７の前端部は、逃げ用凹部５６に連なっている。
【００３６】
以上実施形態について説明したが、本発明は実施形態に限定されるものではなく、特許請求の範囲の記載された範囲において適宜の変更が可能であり、例えば次のような場合をも含むものである。上噴射用ノズル１０は、移動を行わない固定式であってもよく、固定式の上噴射用ノズル１０を、例えば、患者の背中、腰、脚部等に対応させて多数設けるようにしてもよい。また、上噴射用ノズル１０を有しないで、横噴射用ノズル２０（２０Ｂ）のみを有するものであってもよい。横噴射用ノズル２０は、回転しない固定式であってもよ。この場合、横噴射用ノズル２０の上面（支持シート２を接触する面）を極力大きな面積でかつ滑らかな面としておくことにより、別途カバー部材３０を設けない構成とすることもできる。支持部材５０は、支承部５５を有しないものであってもよく、またガイド溝５７を有しないものであってもよい。支持部材５０は、後側支持部５２を有しないで、左右一対の側方支持部５１のみを有するものであってもよく、この場合、その移動を規制するために、例えばベルクロファスナ等を用いて、側方支持部５１を液体式マッサージ装置側の部材（例えば支持シート２や側方壁部４１ａ等）に着脱自在に固定するのが好ましい。勿論、本発明の目的は、明記されたものに限らず、実質的に好ましいあるいは利点として表現されたものを提供することをも暗黙的に含むものである。
【産業上の利用可能性】
【００３７】
本発明は、液体式マッサージ装置として好適なものを提供できる。
【符号の説明】
【００３８】
Ｊ：患者
１：本体ハウジング
２：支持シート
２ａ：上方への突出部分
１０：上噴射用ノズル
２０：横噴射用ノズル
４０：フレーム
４１：カバー部材
４１ａ：側方壁部
４１ｂ：前側壁部
４１ｃ：後側壁部
４２：隆起部
４３：凹部
５０：支持部材
５１：側方支持部
５２：後側支持部
５３：収納凹部
５４：切欠部
５５：支承部
５６：逃げ用凹部
５７：ガイド溝
【図１】
0006592318.tif 000002
【図２】
0006592318.tif 000003
【図３】
0006592318.tif 000004
【図４】
0006592318.tif 000005
【図５】
0006592318.tif 000006
【図６】
0006592318.tif 000007
【図７】
0006592318.tif 000008
【図８】
0006592318.tif 000009
【図９】
0006592318.tif 000010
【図１０】
0006592318.tif 000011
【図１１】
0006592318.tif 000012
【図１２】
0006592318.tif 000013
【図１３】
0006592318.tif 000014
【図１４】
0006592318.tif 000015
【図１５】
0006592318.tif 000016